(57)【特許請求の範囲】
【請求項１】
揮散性物質が収納された収納容器をガス不透過性フィルムからなる外装袋に封入した揮散性物質収納体において、該揮散性物質と該収納容器との間に、該揮散性物質の両側にそれぞれ各一枚の揮散性物質不透過性フィルムからなる薬剤移行防止体を設けて、該揮散性物質の各側面を十分に覆うだけの面積を有する各揮散性物質不透過性フィルムで覆い、該薬剤移行防止体の少なくとも一端が引張用端として収納容器の外部に露出していることを特徴とする揮散性物質収納体。
【請求項２】
該薬剤移行防止体がポリエチレンテレフタレート製フィルムからなることを特徴とする請求項１記載の揮散性物質収納体。
【請求項３】
揮散性物質が収納された収納容器をガス不透過性フィルムからなる外装袋に封入した揮散性物質収納体において、該揮散性物質と該収納容器との間に、該揮散性物質の両側にそれぞれ各一枚の揮散性物質不透過性フィルムからなる薬剤移行防止体を設けて、該揮散性物質の各側面を十分に覆うだけの面積を有する各揮散性物質不透過性フィルムで覆い、該薬剤移行防止体の少なくとも一端が引張用端として収納容器の外部に露出していることを特徴とする該収納容器への薬剤移行防止方法。
【発明の詳細な説明】
【０００１】
【発明の属する技術分野】
本発明は、防虫剤、芳香剤、殺虫剤、消臭剤等の揮散性物質を収納した収納容器にこれらの薬剤が移行するのを防止する揮散性物質収納体及び収納容器への薬剤移行防止方法に関する。
【０００２】
【従来の技術】
従来、洋服タンス等に使用される常温揮散性の防虫剤等は、プラスチック製の薬剤収納容器に収納され、フック部によりタンス内のハンガー吊り下げ棒に吊り下げて用いられていた。
この場合未使用時においては、薬剤を含浸させた含浸体をガス不透過性フィルムからなる外装袋に封入し、これを収納容器に収納するものと、あらかじめ収納容器に薬剤を収納し、収納容器ごとガス不透過性フィルムからなる外装袋に封入するものとがあった。
【０００３】
【発明が解決しようとする課題】
前記した従来技術のうち前者の方法によると、使用の際には、使用者が、ガス不透過性フィルムからなる外装袋から薬剤を含浸させた含浸体を取り出し、その含浸体を収納容器に収納する必要があり、そのため手が薬剤に触れることになり、安全性上好ましくなく、また手間であった。これに対し、後者の収納容器ごとガス不透過性フィルムからなる外装袋に封入するものでは、外装袋から収納容器を取り出しそのまま使用できるので使いやすいものであった。
しかし、この場合、保存中に外装袋内で薬剤が揮散充満し、収納容器に付着するという問題があった。すなわち、保存中に揮散性物質の有効成分が収納容器へ移行して、有効成分量が減少することがあった。
本発明は、使用の際に揮散できる有効成分の総量が多くなるように、揮散性物質の有効成分が収納容器へ移行するのを防止できる揮散性物質収納体、及び揮散性物質の薬剤移行防止方法を得ることを目的とするものである。
【０００４】
【課題を解決するための手段】
本発明者は、前記の課題を解決するため種々検討を進めた結果、揮散性物質と収納容器との間に揮散性物質不透過性フィルムを挟むことによって、揮散性物質の収納容器への移行を防止することを見い出し、本発明を完成するに至った。すなわち、本発明は、以下の手段により前記の課題を解決することができた。
（１）揮散性物質が収納された収納容器をガス不透過性フィルムからなる外装袋に封入した揮散性物質収納体において、該揮散性物質と該収納容器との間に、該揮散性物質の両側にそれぞれ各一枚の揮散性物質不透過性フィルムからなる薬剤移行防止体を設けて、該揮散性物質の各側面を十分に覆うだけの面積を有する各揮散性物質不透過性フィルムで覆い、該薬剤移行防止体の少なくとも一端が引張用端として収納容器の外部に露出していることを特徴とする揮散性物質収納体。
【０００５】
（２）該薬剤移行防止体がポリエチレンテレフタレート製フィルムからなることを特徴とする前記（１）記載の揮散性物質収納体。
（３）揮散性物質が収納された収納容器をガス不透過性フィルムからなる外装袋に封入した揮散性物質収納体において、該揮散性物質と該収納容器との間に、該揮散性物質の両側にそれぞれ各一枚の揮散性物質不透過性フィルムからなる薬剤移行防止体を設けて、該揮散性物質の各側面を十分に覆うだけの面積を有する各揮散性物質不透過性フィルムで覆い、該薬剤移行防止体の少なくとも一端が引張用端として収納容器の外部に露出していることを特徴とする該収納容器への薬剤移行防止方法。
【０００６】
【発明の実施の形態】
本発明において、揮散性物質としては、防虫剤、芳香剤、殺虫剤、消臭剤等が挙げられる。それぞれの薬剤としては、良く知られている薬剤がいずれも使用できるが、例えば防虫剤としては、エンペンスリン等のピレスロイド系化合物が好適なものとして挙げられる。なお、揮散性物質の形態としては、吸収力の大きい適当な担体に揮散性物質を含浸させたものがよいので、粒状、シート状等の形状のものを使用することができる。粒状の場合などにおいては、必要な個数を不織布製などの通気性が良い袋などに入れたものを用いると取扱いが簡単になる。
本発明において、薬剤移行防止体として用いる揮散性物質不透過性フィルムとしては、ガス遮断性を有するフィルム又は気体を透過するが液体を透過しない膜等が考えられるが、実質的に収納体に収納される揮散性物質の移行を防止できるものであれば特に限定されない。
ガス遮断性を有するフィルムとしては、ポリエチレンテレフタレート、エチレンビニルアルコール共重合体、ポリ塩化ビニリデン等のフィルムを単独若しくは組み合わせてて使用され、気体を透過するが液体を透過しない膜としては、セロファン、ポリエチレン、ポリプロピレン、エチレン酢酸共重合体等の膜を単独若しくは組み合わせてて使用される。
【０００７】
揮散性物質不透過性フィルムは、収納容器内の揮散性物質が収納容器に直接接触しないようにするため、その大きさは揮散性物質の側面を十分に覆うだけの面積を有する必要がある。なお、揮散性物質不透過性フィルムは、揮散性物質を完全に密封するようにしなくとも、揮散性物質の側面を覆うだけの面積を有すればよい。そして、揮散性物質不透過性フィルム自体に対する薬剤の移行は意外にも僅かであって、薬剤移行防止の効果についての影響はない。
その揮散性物質不透過性フィルムの厚さとしは、揮散性物質不透過性の作用を十分果たすだけの厚みを有することが必要であるが、使用の時に収納容器の隙間より引き出すことができる薄さのものがよい。もちろん完全に取り出す必要はなく内部にて移動させ、揮散性物質の揮散があればよい。
【０００８】
本発明において、揮散性物質と収納容器との間に揮散性物質不透過性フィルムを介在させることは、具体的には揮散性物質の両側面において収納容器との間に該フィルムを挟み、それにより揮散性物質と収納容器との直接接触を避けることである。より具体的には揮散性物質の両側面を揮散性物質不透過性フィルムで覆うようにしてもよい。
また、この揮散性物質不透過性フィルムを用いる際に、該フィルムの一端を収納容器より外部に出しておくのがよい。本発明において、この揮散性物質不透過性フィルムを外部に出しておくのは、収納容器を開けずに収納容器より揮散性物質不透過性フィルムを引き出すためのものである。
本発明において使用する揮散性物質不透過性フィルムからなる薬剤移行防止材は、揮散性物質の両側にそれぞれ各１枚、合計２枚設けるようにしてもよい。
本発明は、上記のような構成であるので、収納容器ごと外装袋に収納していても、収納容器に揮散性物質が移行しない。また、使用時には収納容器を開けずに簡単にフィルムを引き抜くことができるので、使いやすい。
【０００９】
以下、図面を用いて本発明をより具体的に説明をする。
図１は、本発明の揮散性物質収納体の１例を示すもので、この図面は収納体１を構成する収納容器２を開いて内部を示したものである。収納容器２は、上部に吊手５をもつ右側体３と上部に吊手６をもつ左側体４とが下端の蝶番７で接続しており、蝶番７で線で相互に回動して向かい合わせ、一方の嵌合部８、８と他方の嵌合部９、９を合わせることにより、組み立てる。
収納容器２の右側体３の上には、薬剤移行防止体となる揮散性物質不透過性フィルム１０が乗せられている。このフィルム１０は、右側体３の内部の高さに相当する巾を有し、右端の部分が収納体１の外に出るだけの長さを有しており、その外に出た長さの部分は、引張用端部１２を形成する。そして、引張用端部１２は、右側の嵌合部８、８の間のみにあるような巾を有している。なお、フィルム１０の左端の部分は、嵌合部８、８と重ならないように一部切り欠きを有している。
【００１０】
また、収納容器２の左側体４の上には、薬剤移行防止体となる揮散性物質不透過性フィルム１１が乗せられている。この揮散性物質不透過性フィルム１１は、前記の揮散性物質不透過性フィルム１０と対称形をしている。さらに、この揮散性不透過性フィルム１１の上に揮散性物質粒１５を入れた袋１４が乗せられいる。
収納容器２を蝶番７の線で相互に回動して向かい合わせ、一方の嵌合部８、８と他方の嵌合部９、９を合わせることにより、組み立てられるが、その組立体は内部に揮散性物質粒１５を入れた袋１４を有しているので、収納体１となる。この収納体１の側面図は、図２のようになる。
また、収納体１の斜視図を図３に示す。図２及び図３の右端に揮散性物質不透過性フィルム１０、１１の引張用端部１２、１３が出ている。
このように構成された収納体１は、外装袋（図示せず）に入れられて商品となる。保存中においては、揮散性物質粒１５は揮散性物質不透過性フィルム１０、１１が介在することにより、その揮散性物質は収納体１に移行するのが制約される。
使用に際しては、収納体１を入れた外装袋を開き、その中から収納体１を取り出して、引張用端部１２、１３を引っ張り、揮散性物質不透過性フィルム１０、１１を全部外部に引き出すと、収納体１内部の揮散性物質粒１５から揮散性物質が自由に外部に揮散される。
【００１１】
【実施例】
以下、本発明を実施例により具体的に説明する。ただし、本発明はこれらの実施例のみに限定されるものではない。
【００１２】
実施例１
エンペンスリン５００ｍｇを１０ｇの粒状パルプに含浸し、この粒状パルプを不織布製の袋に包納し、これをポリプロピレン製の収納容器に収納し、その際第１表に記載された材質の揮散性物質不透過性フィルムを収納容器と不織布の両側に挟み込み、収納容器を閉じることにより収納体を形成する。
更にこれらをガス不透過性でかつ吸着のないポリアミド／エバール（登録商標）（エチレン−ビニルアルコール共重合体）からなる外装袋内に密閉し、５０℃に設定された実験室に１ケ月放置し、有効成分の収納容器への移行量を求めた。
その測定結果を第１表に示す。
第１表に示す如く揮散性物質不透過性フィルムを挟んだものは、収納容器への薬剤の移行を抑えることが可能であり、特にポリエチレンテレフタレートは、フィルムへの移行もなく、収納容器への移行は極めて少ない。
【００１３】
【表１】
【００１４】
実施例２
エンペンスリン５００ｍｇを１０ｇの粒状パルプに含浸し、この粒状パルプを不織布製の袋に包納し、これをポリプロピレン製の収納容器に収納し、ポリエチレンテレフタレート製フィルムを収納容器と不織布袋の両側に挟み込み、収納容器を閉じる。
更にこれらをガス不透過性でかつ吸着のないポリアミド／エバール（登録商標）（エチレン−ビニルアルコール共重合体）からなる外装袋内に密閉し、４０℃又は２５℃に設定された実験室にそれぞれ１ケ月放置し、有効成分の収納容器への移行量を求めた。
その測定結果を第２表及び第３表に示す。
【００１５】
【表２】
【００１６】
【表３】
【００１７】
【発明の効果】
本発明によれば、収納容器中に揮散性物質を入れた収納体で使用するものにおいて、保存中に揮散性物質が収納容器に移行する量を少なくすることができ、使用に際して有効に揮散させることができる揮散性物質の量を多くすることができる。
また、収納体を使用するに際して、揮散性物質に手を触れることなく、薬剤移行防止体を取り除いて、使用状態とすることができる。
さらに、薬剤移行防止体である揮散性物質不透過性フィルムの端部を引張用端部として収納容器の外に出しておくと、収納容器を開けることなく、揮散性物質不透過性フィルムを簡単に取り除いて、使用できる状態とすることができる。
【図面の簡単な説明】
【図１】開いた状態とした本発明の収納体の平面図を示す。
【図２】本発明の収納体の正面図を示す。
【図３】本発明の収納体の斜視図を示す。
【符号の説明】
１  収納体
２  収納容器
３  右側体
４  左側体
５  吊手
６  吊手
７  蝶番
８  嵌合部
９  嵌合部
１０  揮散性物質不透過性フィルム
１１  揮散性物質不透過性フィルム
１２  引張用端部
１３  引張用端部
１４  揮散性物質袋
１５  揮散性物質粒
【図１】
0004004633.tif 000002
【図２】
0004004633.tif 000003
【図３】
0004004633.tif 000004